(57)【特許請求の範囲】
【請求項１】
フォーマーと、このフォーマーにて折られ走行経路に従って案内された連続紙を、折帳に折り畳む折畳機構と、前記折帳を搬送する搬送コンベヤーからなる折畳装置に設けられるシート作成機構において、
フォーマーの上流側の連続紙の走行経路に、連続紙を幅方向中央で走行方向と平行に切断するスリッターを設け、
スリッターの下流側で、フォーマーを経由して連続紙を折畳機構に案内する走行経路の側方に、連続紙を案内する他の走行経路を設け、
複数の走行経路の多くとも１つを除く走行経路のそれぞれに経路長調整手段を設け、
更に、前記スリッターにて走行方向と平行に切断した１つの分割幅連続紙を、フォーマーを経由して折畳機構に至る走行経路に案内可能にし、また他の分割幅連続紙を前記他の走行経路に案内可能にし、
前記２つの走行経路を走行する各分割幅連続紙を牽引する別個のドラグローラーを設け、
前記他の走行経路の下流側に、
前記別個のドラグローラーにて牽引される２つの分割幅連続紙が合流する合流経路と、
合流走行経路を挟んだ一対のローラーの少なくとも一方が回転駆動されるようにして設けられ、合流走行経路で合流した複数の連続紙を一括してニップして切断手段に向けて送り出すニッピングローラーと、
合流経路の前記ニッピングローラーより下流側を走行する連続紙の一方面側に設けた固定刃と、走行する連続紙の他方面側で連続紙の紙面と平行な軸線周りに回転する回転部材に取り付けられた回転刃を有し、回転刃が固定刃と連続紙を挟んで擦れ違う際に両刃の共同作用で連続紙を幅方向にそって切断する切断手段と、
上流端部が互いに対向方向に離隔し、切断手段の切断位置から切断されるシートの切断長さより近い位置で互いに接する状態で対向して切断手段の下流側に設けられ、互いに対向する側が同一方向に、前記ニッピングローラーによる送り速度よりも若干速い速度で移動するように駆動されるエンドレスベルトからなるシート搬送手段と、を備え、
異なる走行経路を案内された複数の連続紙を重ねた状態で幅にそって切断することが可能であることを特徴とするシート作成機構。
【発明の詳細な説明】
【技術分野】
【０００１】
この発明は、輪転機より送られてくる連続紙を折畳む折畳装置内に、連続紙を切断して折畳む折畳み機構とともに並設され、前記連続紙を切断してシート状にするシート作成機構に関する。
【背景技術】
【０００２】
折畳装置内に連続紙を切断して折畳む折畳機構と並設する、連続紙を切断してシート状にするシート作成機構は、例えば特許文献１、特許文献２、特許文献３及び特許文献４に開示されたものが公知である。
【０００３】
前記特許文献１には、印刷部から排出される印刷物（連続紙）を所定の長さに切断し更に折り畳んで排出する折畳機構の上方に、前記印刷部から排出される印刷物を所定長さに切断して搬送し集積する枚葉排紙装置を設けた折機が記載されている。
【０００４】
そして、この枚葉排紙装置は、連続紙を枚葉紙（シート）に切断するシート作成機構を具備しており、具体的には、印刷物を折畳機構に案内する第１案内経路と印刷物をシート作成機構に案内する第２案内経路の二股に分岐され分岐位置まで案内された印刷物を第１案内経路と第２案内経路のいずれか一方に選択的に案内するよう構成された印刷物案内経路の第２案内路側に設けられ、第２案内経路を挟んで設けられた固定刃と回転刃とからなる切断手段と、切断手段の上流側で第２案内経路を案内される印刷物を挟んでこれを牽引し切断手段に導くニッピングローラーと、切断手段の下流側で切断手段によって切断された枚葉紙を搬送する搬送ベルトを有している。
【０００５】
また、特許文献２には、フォーマーを通過したウエブ（連続紙）を所定の長さに切断し更に折畳んで排出する折畳機構の側方に、前記フォーマーを通過したウエブ（連続紙）を所定長さに切断して搬送する装置を設けた折機が記載されている。
【０００６】
そして、このウエブ（連続紙）を所定長さに切断して搬送する装置は、ウエブの部分（シート）を作成する機構を具備しており、具体的には、ウエブを折畳機構に案内する第１案内経路とウエブをシート作成機構に案内する第２案内経路の二股に分岐され分岐位置まで案内されたウエブを第１案内経路と第２案内経路のいずれか一方に選択的に案内するよう構成された印刷物案内経路の第２案内路側に設けられ、第２案内経路を挟んで設けられた一対の回転胴に切断機構を備えた横方向切断ユニットと、横方向切断ユニットの上流側で第２案内経路を案内されるウエブを牽引し横方向切断ユニットに導くニッピングローラーと、横方向切断ユニットの下流側で横方向切断ユニットによって切断されたウエブの部分を搬送する引き離しベルトを有している。なお、一対の回転胴からなる横方向切断ユニットの切断機構の詳細は示されていない。
【０００７】
また、特許文献３には、フォーマーを通過した連続紙を所定の長さに切断し更に折畳んで排出する折畳機構の側方に、前記フォーマーを通過した連続紙を所定長さに切断して搬送する装置を設けた折機が記載されている。
【０００８】
そして、この連続紙を所定長さに切断して搬送する装置は、シートを作成する機構を具備しており、具体的には、連続紙を折畳機構に案内する第１案内経路とウエブをシート作成機構に案内する第２案内経路の二股に分岐され分岐位置まで案内されたウエブを第１案内経路と第２案内経路のいずれか一方に選択的に案内するよう構成された印刷物案内経路の第２案内路側に設けられ、第２案内経路を挟んで設けられた回転胴であるカッター胴とカッター受胴からなり、両胴の回転により両胴の対向位置で、カッター胴のカッターがカッター受胴の受台にくい込んで、第２案内路の連続紙を切断する裁断機構と、裁断機構の上流側で第２案内経路を案内されるウエブを挟んで牽引し裁断機構に送り出す紙送りローラー対と、裁断機構の下流側で裁断機構によって切断されたシートを前記紙送りローラー対及び裁断機構の２つの回転胴の周速度より若干早い速度で搬送する第１搬送コンベヤーを有している。
【０００９】
さらに、特許文献４には、輪転機の排紙装置であって、フォーマーを通過して走行方向に平行に折られたウエブ（連続紙）を所定長さに切断した折丁（シート）として搬送する排紙装置が記載されている。
【００１０】
そして、この排紙装置は、ウエブを案内する案内経路に折丁（シート）を作成する機構を具備しており、具体的には、案内経路を挟んで設けられた回転胴である裁断胴と受胴かなり、図示から推定するに、両胴の回転により両胴の対向位置で、切断胴の切断刃が受胴の受部にくい込んで連続紙を裁断する機構と、連続紙を断裁する機構の上流側で案内経路を案内されるウエブを挟んで牽引し連続紙を断裁する機構に導き入れる２つのリードインローラーと、連続紙を断裁する機構の下流側で対向し、連続紙を断裁する機構によって切断された折丁を挟んで搬送する高速ベルトを有している。
【００１１】
【特許文献１】実公昭５６−８８５１号公報（第１欄２０〜２７行、第１図）
【特許文献２】特許第２７８８２３８号公報（第１６欄２９〜第１７欄１３行、第６図、第７図）
【特許文献３】特開平２００３−３４１９０６号公報（第４欄１３〜２５行、図１）
【特許文献４】実開平３−４４１５４号公報（第６頁４〜１３行、第３図）
【発明の開示】
【発明が解決しようとする課題】
【００１２】
以上各特許文献に記載されたシートを作成する機構は、いずれも、裁断機構の１回の裁断作用で１シートのみ作成するものできわめて効率が悪く、１つの連続紙の幅方向に複数の同じ単位印刷面を並べて印刷し、これをその単位印刷面の幅で長手方向に平行に分割して前記並べた数の分割連続紙とし、各分割連続紙から単位印刷面シートを作成するには、分割連続紙の数と同数のシート作成装置が必要であり設備設置スペースが広く必要であるとともに、イニシャルコストが嵩むものであった。
【００１３】
また、シート作成装置を複数使用する場合は、シート作成装置ごとに単位印刷面と裁断機構のタイミング調整は勿論、特許文献１に示されるような案内経路を挟んで設けられた固定刃と回転刃とからなる切断手段では、シート作成装置ごとに両刃の擦れ違う際の正確な間隔調整が必要であった。また、複数のシート作成装置を個別に保守して良好な状態に維持管理する必要があった。したがって、調整、メインテナンス作業がそれだけ多くなって作業者の負担になるとともに、メインテナンス作業の多さに伴ってランニングコストが嵩むものであった。
【００１４】
更に、特許文献３に示される裁断機構のようにカッター胴とカッター受胴からなり、両胴の回転により両胴の対向位置で、カッター胴のカッターがカッター受胴の受台にくい込んで連続紙を裁断する機構では、良好な切断作用を得るために刃先が細かい山谷の連続する鋸刃とならざるを得ず、切断線が鋸刃状のシートしか得られず、シート状印刷物としてランクの下がった物しか得られなかった。また、特許文献１に示されるような案内経路を挟んで設けられた固定刃と回転刃とからなる切断手段を備えたシート作成装置では、シート作成装置の下流側で連続紙が比較的自由な状態であるため、固定刃と回転刃が連続紙を挟んで擦れ違う際に連続紙が僅かに引き戻されて切断位置のずれを生じるおそれがあった。
【００１５】
そうしたことから、設備設置スペースの省スペース化が可能であるとともに、イニシャルコストの低減を図れ、なおかつシート作成装置を複数使用する場合と同等の生産効率が得られ、更に、調整作業やメインテナンス作業を減らして作業者の負担を軽くすることができ、かつメインテナンス作業を減らすことによってランニングコストを低減することができ、加えて、固定刃と回転刃とからなる切断手段による切断位置精度を高めたシート作成機構が求められていた。
【課題を解決するための手段】
【００１６】
本発明は前記した課題を解決するためになされたもので、これの請求項１に係る発明は、フォーマーと、このフォーマーにて折られ走行経路に従って案内された連続紙を、折帳に折り畳む折畳機構と、前記折帳を搬送する搬送コンベヤーからなる折畳装置に設けられるシート作成機構において、フォーマーの上流側の連続紙の走行経路に、連続紙を幅方向中央で走行方向と平行に切断するスリッターを設け、スリッターの下流側で、フォーマーを経由して連続紙を折畳機構に案内する走行経路の側方に、連続紙を案内する他の走行経路を設け、複数の走行経路の多くとも１つを除く走行経路のそれぞれに経路長調整手段を設け、更に、前記スリッターにて走行方向と平行に切断した１つの分割幅連続紙を、フォーマーを経由して折畳機構に至る走行経路に案内可能にし、また他の分割幅連続紙を前記他の走行経路に案内可能にし、前記２つの走行経路を走行する各分割幅連続紙を牽引する別個のドラグローラーを設け、前記他の走行経路の下流側に、前記別個のドラグローラーにて牽引される２つの分割幅連続紙が合流する合流経路と、合流走行経路を挟んだ一対のローラーの少なくとも一方が回転駆動されるようにして設けられ、合流走行経路で合流した複数の連続紙を一括してニップして切断手段に向けて送り出すニッピングローラーと、合流経路の前記ニッピングローラーより下流側を走行する連続紙の一方面側に設けた固定刃と、走行する連続紙の他方面側で連続紙の紙面と平行な軸線周りに回転する回転部材に取り付けられた回転刃を有し、回転刃が固定刃と連続紙を挟んで擦れ違う際に両刃の共同作用で連続紙を幅方向にそって切断する切断手段と、上流端部が互いに対向方向に離隔し、切断手段の切断位置から切断されるシートの切断長さより近い位置で互いに接する状態で対向して切断手段の下流側に設けられ、互いに対向する側が同一方向に、前記ニッピングローラーによる送り速度よりも若干速い速度で移動するように駆動されるエンドレスベルトからなるシート搬送手段と、を備え、異なる走行経路を案内された複数の連続紙を重ねた状態で幅にそって切断することが可能である構成になっている。
【発明の効果】
【００１８】
この発明によれば、切断手段の上流側で合流した合流走行経路を形成する複数の連続紙の走行経路を設け、各走行経路を走行した連続紙を合流走行経路に合流させて固定刃と回転刃とからなる切断手段で裁断するようにしたので、１回の切断作用で切断端が直線状に切断された複数のシートの作成が可能となり、設備設置スペースがシート作成機構を備えた折機１台のスペースでよく、省スペース化が可能となり、また、設備設置費用もシート作成機構を備えた折機１台の購入及び設置費用のみでよくイニシャルコストの低減を図れ、なおかつシート作成装置を複数使用する場合と同等の生産効率が得られるようになった。
【００１９】
また、各走行経路を走行した連続紙を合流走行経路に合流させる際に、経路長調整手段で走行経路長さを調節することによって重ね合わせる連続紙の単位印刷画線の走行方向位置を整合させ、さらに、ドラグローラー手段で各連続紙を個別に牽引して合流走行経路に至る各連続紙の走行に対する抵抗の差異を解消し、その状態で合流して重ね合わせた複数の連続紙を少なくとも一方が回転駆動されるローラー対手段で一括してニップし、一斉に切断手段に向けて送り出すとともに、この重ね合わせた複数の連続紙の走行方向先端側を、前記ローラー対手段が連続紙を送り出す速度よりも若干速い速度で駆動されるシート搬送手段で牽引して、切断手段の切断作用位置で重ね合わせた連続紙が緩まないようにしたので、固定刃と回転刃とからなる切断手段による単位印刷画線に対する切断位置の精度を極めて高い状態で得られかつ維持することができるようになった。
【００２０】
また、この発明では、折畳装置の上流側に至る連続紙をこれの走行方向に平行に切断して、この切断により分割された分割幅連続紙をそれぞれ異なる走行経路を走行させた後に、これらの相互を重ねた状態で前記のようにして精度よく切断することができる。
【発明を実施するための最良の形態】
【００２１】
次に、この発明についての実施の形態について、図面に基づいて説明する。
図１はこの発明に係るシート作成機構が設けられた折畳装置の概略的な全体構成を示す正面図、図２はこの図１のＡ−Ａ矢視図、図３は図１に示した折畳装置に設けられたシート作成機構の概略構成を折畳機構の２つの胴とともに示した斜視図である。
【００２２】
図１に示す折畳装置は、フォーマーＦＭと、上流ドラグローラーＤＲと、折畳機構Ｆと、上流ニッピングローラーＮＲと、シート作成機構Ｓとを備えている。
【００２３】
そして、前記フォーマーＦＭは、輪転機の印刷部より下流側に設けられていて、輪転機より走行されてくる連続紙Ｗをこれの走行方向に平行に折り畳むようになっている。また、上流ドラグローラーＤＲは、連続紙Ｗの走行方向においてフォーマーＦＭの上流側に設けられ、フォーマーＦＭに連続紙Ｗを送り込むべく駆動回転されるようになっている。
【００２４】
折畳機構Ｆは、フォーマーＦＭの下流側に設けられ、連続紙Ｗを幅方向と平行に切断して折り畳み、折帳状態で搬出するようになっている。また、上流ニッピングローラーＮＲは、フォーマーＦＭと折畳機構Ｆの間で設けられ、フォーマーＦＭを通過した連続紙Ｗに対して、走行方向に平行な折り畳みのしっかりした折り目付けと折畳機構Ｆへの送り込みを行うようになっている。さらに、シート作成装置Ｓは、連続紙Ｗの走行方向において上流ニッピングローラーＮＲの下流側に前記折畳機構Ｆと並設されて連続紙Ｗを幅方向と平行に切断し、シートＳＴで搬出するようになっている。
【００２５】
そして前記上流ドラグローラーＤＲの周面に対向する位置に、これの外周面にリング状に設けられた溝（図示せず）に対してくい込む切断作用位置と上流ドラグローラーＤＲの外周面から離れた非作用位置の間で往復動可能にしたスリッターＳＬが設けられている。
【００２６】
前記折畳機構Ｆは、折胴ＦＣと咥え胴ＪＣと、あじろ装置ＭＣ２と、第１の搬送コンベヤーＣＶ１と、チョッパー折り手段ＣＰと、第１及び第２の折帳排出用羽根車ＦＡ１、ＦＡ２とを備えている。
【００２７】
そして前記折胴ＦＣと咥え胴ＪＣは、平行かつ外周面を対向させるとともに互いの対向面が同一方向に移動するように同期回転するように設けられ、その間に送り込まれるフォーマーＦＭを通過した後の連続紙Ｗを幅方向と平行に切断すると共に、切断した後の紙（図示せず）を切断端と平行に折り畳んで折帳（図示せず）を形成するようになっている。また、前記第１の搬送コンベヤーＣＶ１は、折胴ＦＣと咥え胴ＪＣにて折り畳まれた折帳を搬出側へ向けて搬送するようになっている。第２の搬送コンベヤーＣＶ２は第１、第２の折帳排出用羽根車ＦＡ１、ＦＡ２をはさんで第１の搬送コンベヤーＣＶ１の下側に設けられている。
【００２８】
前記チョッパー折り手段ＣＰは、第１の搬送コンベヤーＣＶ１の途中に設けられ、この第１の搬送コンベヤーＣＶ１で搬送される折帳をチョッパー折りするようになっている。
【００２９】
第１の折帳排出用羽根車ＦＡ１は前記したように第１の搬送コンベヤーＣＶ１の下側で、かつこれの搬送方向の下流側に設けられ、第１の搬送コンベヤーＣＶ１で搬送された折帳を受け取って下方に設けられた第２の搬送コンベヤーＣＶ２に引き渡しするようになっている。
【００３０】
また、第２の折帳排出用羽根車ＦＡ２は、第１の搬送コンベヤーＣＶ１の途中に設けられた前記チョッパー折り手段ＣＰの下方に設けられ、チョッパー折り手段ＣＰでチョッパー折りされた折帳（図示せず）を受け取ってこれの下方に設けられた前記第２の搬送コンベヤーＣＶ２に引き渡しするようになっている。
【００３１】
また、図中、ＭＣ１は連続紙Ｗに幅方向のミシン目を加工する横ミシン目装置、ＭＣ２は折帳のチョッパー折り部分にあじろ加工するあじろ装置であり、少なくとも横ミシン目装置ＭＣ１は、後に説明する本願発明のシート作成機構Ｓを作動させるときに、ミシン目加工を行わない待機状態にすることができるようになっている。
【００３２】
なお、図３では、横ミシン目装置ＭＣ１を省略してある。また、当該折畳装置Ｆは、これの大部分が本願発明にかかるシート作成機構Ｓと直接関係しないので、その作用については、シート作成機構Ｓに関係する部分について、後のシート作成装置Ｓの説明の際に、シート作成装置Ｓとの関係において説明するにとどめる。
【００３３】
この発明に係るシート作成機構Ｓは、連続紙Ｗがそれぞれ並列状態で走行する複数の走行経路Ｒ１、Ｒ２を有し、この各走行経路を走行してきた連続紙Ｗを重ね合わせる合流走行経路Ｒ３を備えている。
【００３４】
図示の実施の形態は、上流ドラグローラーＤＲより下流側に、この上流ドラグローラーＤＲに設けられたスリッターＳＬにて２分割（２分の１分割）された２つの分割幅連続紙Ｗ１、Ｗ２の一方が走行する第１の走行経路Ｒ１と、他方が走行する第２の走行経路Ｒ２を備えている。そしてこの第１、第２の走行経路Ｒ１、Ｒ２の下流側に、この両走行経路Ｒ１、Ｒ２が合流して走行する合流走行経路Ｒ３が備えてある。また前記第１の走行経路Ｒ１の下流側には、これの合流走行経路Ｒ３に向かう経路と分岐して選択的に前記折畳機構Ｆへ向かう折畳走行経路ＰＦが設けられている。
【００３５】
そして前記第１の走行経路Ｒ１は、上流ドラグローラーＤＲの下流側にこれと平行に設けられたフォーマー上ガイドローラ１１ａ、フォーマーＦＭの幅方向の半面（図示では左半面）、上流ニッピングローラーＮＲ、第１の下流ドラグローラー３１、ガイドローラー１１ｂを備え、これらを経由した一方の分割幅連続紙Ｗ１が、後で説明する第２の走行経路Ｒ２の第２の下流ドラグローラ３２の外周面に、他方の分割幅連続紙Ｗ２を介して接触する位置に至るよう形成される。第１の下流ドラグローラー３１の外周には押付けコロ３１ａが押し付けられている。この押付けコロ３１ａは図３では省略してある。
【００３６】
また前記第２の走行経路Ｒ２は、上流ドラグローラＤＲの上方で、下流側に向けてこれと平行に設けた２つの上流側の中間ガイドローラー１２ａ、１２ｂと、これらの下流側に、これらのローラに対して水平方向に４５度傾斜して設けられた分割幅連続紙用のアングルバー１２ｃと、フォーマーＦＭの側方空間及びその下方に上流ドラグローラーＤＲに対して直角かつ水平に設けられた複数の下流側の中間ガイドローラー１２ｄ、１２ｅ、１２ｆ、１２ｇ、１２ｈと、第２の下流ドラグローラー３２と、下流側の中間ガイドローラー１２ｄ〜１２ｈ間に設けられ、この間における経路長さを調整可能にした経路長調整手段４を備え、これらを経由した他方の分割幅連続紙Ｗ２が、一方の分割幅連続紙Ｗ１とともに第２の下流ドラグローラー３２の外周面に接触する位置に至るように形成されている。第２の下流ドラグローラー３２の外周には押付けコロ３２ａが押し付けられている。この押付けコロ３２ａは図３では省略してある。
【００３７】
前記経路長調整手段４は、前記複数の下流側の中間ガイドローラー１２ｄ〜１２ｈと平行に、かつ分割幅連続紙Ｗ２の走行方向に移動可能に設けられた調整ローラ４１と、この調整ローラー４１を移動する移動手段４１ａとからなっている。この移動手段４１ａは、例えば揺動アーム構成になっていて、揺動アームを図示しない駆動手段にて揺動することにより調整ローラー４１が連続紙の走行方向に移動するようになっている。
【００３８】
そして分割幅連続紙Ｗ２は、前記複数の下流側の中間ガイドローラー１２ｄ〜１２ｈのうちの中間に位置する２つの中間ガイドローラー１２ｅ、１２ｆ間に位置する前記経路長調整手段４の調整ローラー４１にＳ字状に巻き掛けられており、この調整ローラー４１の移動により第２の走行経路Ｒ２の経路長が調整されるようになっている。
【００３９】
なお、図示の実施の形態では、この経路長調整手段４を第２の走行経路Ｒ２にのみ設け、合流走行路Ｒ３で両方の分割幅連続紙Ｗ１、Ｗ２が重なり合う際に、他方の分割幅連続紙Ｗ２の切断されるべき部位を一方の分割幅連続紙Ｗ１の切断されるべき部位に整合するよう構成したが、経路長調整手段４を第１の走行経路Ｒ１のみに、あるいは双方の走行経路Ｒ１、Ｒ２に設けて両分割幅連続紙Ｗ１、Ｗ２の相互の切断されるべき部位を整合するようにしてもよいことはもちろんである。
【００４０】
合流走行経路Ｒ３は、前記一方の分割幅連続紙Ｗ１が、他方の分割幅連続紙Ｗ２と重ね合せられて第２の下流ドラグローラー３２の外周に接触する位置を始点として下流側に連続し、シート搬送手段７に至るよう形成され、上流から順に下流ニッピングローラー５と切断手段６が設けられている。
【００４１】
下流ニッピングローラー５は合流走行経路Ｒ３を重なり合って走行する両分割幅連続紙Ｗ１、Ｗ２を一括してニップして下流側へ向けて一斉に送り出すようになっていて、これの少なくとも一方のローラーが駆動回転されている。
【００４２】
切断手段６は、合流走行経路Ｒ３を挟んでこの合流走行経路Ｒ３の一方側に配される固定刃６１と、これに対向して他方側に配される回転刃６２とからなっている。この回転刃６２は合流走行経路Ｒ３を重なり合って走行する２つの分割幅連続紙Ｗ１、Ｗ２の紙面と平行な軸線周りに回転駆動される回転部材６３の周面部に固定されている。
【００４３】
そして、回転駆動される回転部材６３と一体回転で移動する回転刃６２が固定刃６１と擦れ違う位置で、前記下流ニッピングローラー５によって送り出されるとともにシート搬送手段７にて引かれて合流走行経路Ｒ３を走行する重なり合った２つの分割幅連続紙Ｗ１、Ｗ２を固定刃６１との間で挟む際に、固定刃６１との共同作用でこれを幅方向にそって切断し、重なり合ったシートＳＴとするようになっている。
【００４４】
シート搬送手段７は、切断手段６より下流側の合流走行経路Ｒ３の両側にそって一対のエンドレスベルト７１、７１がそれぞれ多数のガイドローラーにて案内されて配された構成になっていて、それぞれの対向面にて切断手段６にて切断されたシートＳＴを把持して搬送するようになっている。なお、この両エンドレスベルト７１、７１は図示のようにそれぞれ１本ずつの構成にしてもよいが、それぞれの搬送方向にわたって複数のエンドレスベルトを用いてもよい。
【００４５】
このシート搬送手段７の一対のエンドレスベルト７１、７１の上流側は、切断手段６にて切断されたシートＳＴを受けやすいようにホッパー状になっている。そして前記切断手段６の切断作用位置からこのホッパー状の最下流部、すなわち、両エンドレスベルト７１、７１が互いに接する部分までの距離がシートＳＴの長さより小さな距離となっている。またこのシート搬送手段７の送り速度は前記下流ニッピングローラー５による合流走行経路Ｒ３の走行速度より若干速くなっている。
【００４６】
つまり、シート搬送手段７では、切断手段６の固定刃６１と回転刃６３による切断作用の後、次の切断作用が行われるまでの間に、固定刃６１と回転部材６３の間を通過した重なり合った２つの分割幅連続紙Ｗ１、Ｗ２の先行端を受け入れ、かつこの先行端をホッパー状部を過ぎて互いに接触している両エンドレスベルト７１、７１で挟んで牽引して、切断面の重なり合った２つの分割幅連続紙Ｗ１、Ｗ２が縮みのない若干張った状態で合流走行路Ｒ３を走行させるとともに、切断手段６が次の切断作用を行うと即座に、切断されたシートＳＴをエンドレスベルト７１、７１の移動速度で下流側へ搬送し、これを上流側の合流走行経路Ｒ３にある重なり合った分割幅連続紙Ｗ１、Ｗ２の先端から引き離して両者間に間隔を形成するようになっている。
【００４７】
更に、シート搬送手段７は下流側が略水平になっていて、これの下流側には、このシート搬送手段７の下流側部より低い位置に、シート搬送手段７の搬送速度より搬送速度を遅くした第３の搬送コンベヤーＣＶ３が設けてあり、シート搬送手段７から搬送されてきたシートＳＴはこの第３の搬送コンベヤーＣＶ３にてずれ重なり状態で搬送され、この状態で前記折畳機構Ｆの最下流側に設けられた第２の搬送コンベヤＣＶ２へ引き渡すことができるようになっている。
【００４８】
なお前期第２の搬送コンベヤーＣＶ２は、この実施の形態では、これの上流側端部が、第３の搬送コンベヤーＣＶ３からのシートＳＴの受け取りが可能な位置と、前記折畳機構Ｆが形成する折帳への受け取りが可能な位置とに、変位が可能になっている。
【００４９】
以上記載の構成になるシート作成機構Ｓは次のように動作を行う。
【００５０】
図示しない印刷装置で印刷を施された連続紙Ｗは、予め定められた走行経路上を案内されて走行し、フォーマーＦＭの近傍上流側に設けられた上流ドラグローラーＤＲに至ってこれらの外周面に大きな巻角でもって巻き付けられるとともに、この上流ドラグローラーＤＲの外周面に設けられた溝に対してくい込む切断作用位置にあるスリッターＳＬによって、幅方向の、例えば中央で走行方向と平行に切断されて２つの分割幅連続紙Ｗ１、Ｗ２とされ、上流ドラグローラーＤＲの駆動回転によってそれぞれ下流側へ送り出される。
【００５１】
スリッターＳＬによって分割された一方の分割幅連続紙Ｗ１は、前記フォーマーＦＭの一方半面を経由する第１の走行経路Ｒ１に案内されて走行し、他方の分割幅連続紙Ｗ２は、前記フォーマーＦＭの上方で、下流側に向けて設けられた中間ガイドローラー１２ａ、１２ｂ及びアングルバー１２ｃを経由する第２の走行経路Ｒ２に案内されて走行する。
【００５２】
前記第１の走行経路Ｒ１を走行する一方の分割幅連続紙Ｗ１は、フォーマーＦＭの一方半面（図示では左半面）にそって走行し、その斜辺を通過する際に紙面の向きが９０度変更されて上流ニッピングローラーＮＲに至り、次いで、第１の下流ドラグローラー３１に至ってその外周面に大きな巻き角でもって巻きつけられて走行する向きが変更されるとともに、この第１の下流ドラグローラー３１の駆動回転によって送り出される。
【００５３】
この際、一方の分割幅連続紙Ｗ１は第１の下流ドラグローラー３１において押付けコロ３１ａにて押し付けられることにより、この第１の下流ドラグローラー３１の駆動回転による送り出し作用ロスの低減が図られる。そしてこの第１の下流ドラグローラー３１の駆動回転によって送り出された一方の分割幅連続紙Ｗ１は、折畳機構Ｆへの折畳走行経路ＰＦと分岐されたガイドローラー１１ｂを経由して第２の下流ドラグローラー３２の外周に至り、この第２の下流ドラグローラー３２の外周面で、第２の走行経路Ｒ２を走行してきた他方の分割幅連続紙Ｗ２と重なり合う。
【００５４】
前記他方の分割幅連続紙Ｗ２は、２つの上流側の中間ガイドローラー１２ａ、１２ｂを経由した後、アングルバー１２ｃにて走行方向が９０度変更されてフォーマーＦＭの側方空間に導かれ、この空間に設けられた下流側の中間ガイドローラー１２ｄ〜１２ｈ及びこの間に設けられた経路長調整手段４の調整ローラー４１を経由して第２の下流ドラグローラー３２に至り、その外周面に大きな巻き角でもって巻きつけられてこれの走行する向きが変更されると共に、前記第２の下流ドラグローラー３２の駆動回転によって送り出される。
【００５５】
この際、この他方の分割幅連続紙Ｗ２は第２の下流ドラグローラー３２において押付けコロ３２ａにて押付けられることにより、この第２の下流ドラグローラー３２の駆動回転による送り出し作用のロスの低減が図られる。そしてこの第２の下流ドラグローラー３２の駆動回転によって送り出された他方の分割幅連続紙Ｗ２は、前記第１の走行経路Ｒ１を経由して第２の下流ドラグローラー３２の外周面に至った一方の分割幅連続紙Ｗ１とこれの外周面で重なり合う。
【００５６】
第２の下流ドラグローラー３２の外周面で重なり合う２つの分割幅連続紙Ｗ１、Ｗ２は、それぞれの下流ドラグローラー３１、３２の牽引作用によって、第１、第２の夫々の走行経路Ｒ１、Ｒ２における走行に対する抵抗の差異に基づく各分割幅連続紙Ｗ１、Ｗ２に作用している張力の差異が解消されて重ね合わされる。
【００５７】
また、第２の走行経路Ｒ２においての他方の分割幅連続紙Ｗ２の走行経路長さが経路長調整手段４の調整ローラー４１の変位にて調節され、この他方の分割幅連続紙Ｗ２の単位印刷画線の走行方向位置が一方の分割幅連続紙Ｗ１のそれと走行方向に整合された状態で重ね合わされる。
【００５８】
第２の下流ドラグローラー３２の外周面で前記のようにして重ね合わされた２つの分割幅連続紙Ｗ１、Ｗ２は、この重ね合わせられた位置を始点とする合流走行路Ｒ３を、前記始点の近傍下流側に設けられた下流ニッピングローラー５によって一括して挟まれるとともに下流側へ一斉に送り出される。そしてこのときの重ね合わせられた２つの分割幅連続紙Ｗ１、Ｗ２は、回転刃６２が非切断位置にある切断手段６の回転部材６３にそってその先行側がシート搬送手段７のホッパー状になっている入口部に入り、このシート搬送手段７にて前記下流ニッピングローラー５の送り速度よりも若干速い速度で牽引され、下流ニッピングローラー５とシート搬送手段７の間で緩みのない状態で走行させられる。そして、この重ね合わせられた２の分割幅連続紙Ｗ１、Ｗ２は、相互の張力の差異が下流ドラグローラー３１、３２にて解消されているので、走行中にずれが生じることがない。
【００５９】
この合流走行経路Ｒ３を緩みのない状態で走行させられる重ね合わせられた２つの分割幅連続紙Ｗ１、Ｗ２は、下流ニッピングローラー５とシート搬送手段７の間で、切断手段６にて予め定められた切断されるべき位置で切断されてシートＳＴが形成される。
【００６０】
すなわち、先行側が切断手段６にて切断された重ね合わせられた２つの分割幅連続紙Ｗ１、Ｗ２は、ニッピングローラー５にて引き続き下流側へ一斉に送り出され、これの先行端が、切断手段６の下流側に設けられたシート搬送手段７のホッパー状に形成された入口から入り、かつ切断手段６にて切断されて送り出されるシートＳＴの両切断端間の長さよりも短い距離に設けられたエンドレスベルト７１、７１の対向部で挟まれ、この２つの分割幅連続紙Ｗ１、Ｗ２は下流ニッピングローラー５による送り出し速度より若干速い速度で牽引され、下流ニッピングローラー５とシート搬送手段７の間で緩みのない状態で走行される。このときの２つの分割幅連続紙Ｗ１、Ｗ２の先端はホッパー上部に案内されてスムーズにシート搬送手段の内に進入される。
【００６１】
そしてこのような走行状態になったのち、切断手段６の回転部材６３とともに回転移動する回転刃６２が、重なり合った２つの分割幅連続紙Ｗ１、Ｗ２を挟んで固定刃６１と擦れ違ったときに固定刃６１に回転刃６２の共同作用で両者の間に挟んだ２つの分割幅連続紙Ｗ１、Ｗ２が重なり合った状態のまま切断される。
【００６２】
このように、２枚のシートＳＴが一挙に形成される。なお、この切断が重なり合った２つの分割幅連続紙Ｗ１、Ｗ２の切断されるべき位置で行われるよう、回転部材６３とともに回転する回転刃６２の回転位相と回転速度がシートＳＴの切断長さに応じて設定されることはもちろんである。
【００６３】
切断後、切断位置より上流部分、つまり、重なり合った２つの分割幅連続紙Ｗ１、Ｗ２は、下流ニッピングローラー５によってその作動速度で引き続き下流側へ一斉に送り出され、回転刃６２が移動した後の、回転部材６３の外周面と回転刃６１との間を移動し、合流走行経路Ｒ３を挟んで開口して対向するシート搬送手段７の両エンドレスベルト７１、７１の間に進入し、次の固定刃６１と回転刃６２との擦れ違いが行われる前に、切断手段６の切断作用位置との距離が、切断手段６にて切り出されるシートＳＴの長さよりも短い距離で設けられた位置で対向部が互いに接するエンドレスベルト７１、７１によってその先行端が挟まれ、下流ニッピングローラー５の送り速度よりも若干速い速度で牽引されるようになる。そして前記したのと同様な切断手段６による次の切断が行われる。
【００６４】
また、切断後、切断位置より下流部分、つまり切り出されたシートＳＴは、エンドレスベルト７１、７１によって、その作動速度で前切断位置より上流部分と徐々に間隔を開きながら、シート搬送手段７の下流側へ搬送され、第３の搬送コンベヤーＣＶ３に引き渡され、更に、第２の搬送コンベヤーＣＤ２に引き渡されてこの第２の搬送コンベヤーＣＶ２によって折畳装置から搬出される。
【００６５】
また、シートＳＴは、シート搬送手段７から第３の搬送コンベヤーＣＶ３に引き渡される際に、両者の搬送速度の差異により、第３の搬送コンベヤーＣＶ３上で先行のシートＳＴに後続のシートＳＴが部分的に重なるずれの重なり状態にされ、そのまま第２の搬送コンベヤーＣＶ２に引き渡される。
【産業上の利用可能性】
【００６６】
このシート作成機構は、折畳装置内に折畳機構と併設するシート作成機構に実施して有効である。
【図面の簡単な説明】
【００６７】
【図１】この発明に係るシート作成機構を備えた折畳装置の全体構成を概略的に示す正面図である。
【図２】図１のＡ−Ａ矢視図である。
【図３】図１に示した折畳装置に設けられたシート作成機構の構成を折畳機構の２つの胴とともに示す斜視図である。
【符号の説明】
【００６８】
１１ａ…フォーマ上ガイドローラー、１１ｂ…ガイドローラー、
１２ａ、１２ｂ…上流側の中間ガイドローラー、１２ｃ…アングルバー、１２ｄ、１２ｅ、１２ｆ、１２ｇ、１２ｈ…下流側の中間ガイドローラー、
３１、３２…第１、第２の下流ドラグローラー、３１ａ、３２ａ…押付けコロ、
４…経路長調整手段、４１…調整ローラー、４１ａ…移動手段、
５…下流ニッピングローラー、
６…切断手段、６１…固定刃、６２…回転刃、６３…回転部材、
７…シート搬送手段、７１…エンドレスベルト、
ＣＰ…チョッパー折り手段、ＣＶ１、ＣＶ２、ＣＶ３…第１、第２、第３の搬送コンベヤー、ＤＲ点上流ドラグローラー、Ｆ…折畳機構、ＦＡ１、ＦＡ２…第１、第２の折り長排出用羽根車、ＦＣ…折胴、ＦＭ…フォーマー、ＪＣ…咥胴、ＭＣ１…横ミシン目装置、ＭＣ２…あじろ装置、ＮＲ…上流ニッピングローラー、ＰＦ…折畳走行経路、Ｒ１、Ｒ２…第１、第２の走行経路、Ｒ３…合流走行経路、Ｗ…連続紙、Ｗ１、Ｗ２…分割幅連続紙。
【図１】
0004438727.tif 000002
【図２】
0004438727.tif 000003
【図３】
0004438727.tif 000004